(57)【特許請求の範囲】
【請求項１】
通信時に収容されている無線端末を使用して局線を介して通信相手との間で通信を行うことが可能な構内交換機能を有すると共に、該通信相手に対してアナウンスにより通知する機能を有するボタン電話装置において、前記無線端末を使用して前記構内交換機能により前記局線を介して発信して前記通信相手が応答したときに該通信相手の応答を検出する応答信号検出部と、前記応答信号検出部で検出された前記通信相手に対して前記無線端末を使用して通信している旨を前記アナウンスにより通知送出するアナウンス送出部とを備えたことを特徴とする無線端末使用通知機能付きボタン電話装置。
【請求項２】
請求項１記載の無線端末使用通知機能付きボタン電話装置において、前記アナウンス送出部は、前記局線を介しての着信時に応答端末が自装置に収容されている前記無線端末であるときに該局線を介して前記通信相手に対して該無線端末を使用して通信している旨を前記アナウンスにより通知送出することを特徴とする無線端末使用通知機能付きボタン電話装置。
【請求項３】
請求項１又は２記載の無線端末使用通知機能付きボタン電話装置において、前記無線端末へ転送可能な有線端末を含み、前記アナウンス送出部は、前記有線端末から前記無線端末への転送時に前記局線を介して前記通信相手に対して該無線端末を使用して通信している旨を前記アナウンスにより通知送出することを特徴とする無線端末使用通知機能付きボタン電話装置。
【請求項４】
請求項３記載の無線端末使用通知機能付きボタン電話装置において、前記無線端末の個別情報を予め蓄積した無線端末情報蓄積部を備え、前記局線を介しての個別着信情報を伴った着信時に前記応答端末が自装置に収容されている前記無線端末であるか否かを受信された該個別着信情報と前記無線端末情報蓄積部に蓄積された前記個別情報とを比較照合して合致するものが存在するか否かにより認識することを特徴とする無線端末使用通知機能付きボタン電話装置。
【請求項５】
請求項４記載の無線端末使用通知機能付きボタン電話装置において、前記局線を介して擬似呼出音を送出する局線擬似呼出音送出部を備え、前記比較照合の結果により合致する前記無線端末が存在するときに該無線端末が応答するまでの間、前記局線擬似呼出音送出部により通信相手に対して前記局線を介して前記擬似呼出音を送出し続けることを特徴とする無線端末使用通知機能付きボタン電話装置。
【請求項６】
請求項５記載の無線端末使用通知機能付きボタン電話装置において、前記無線端末から応答があったときに前記局線を介して前記局線擬似呼出音送出部からの前記擬似呼出音の送出を停止することを特徴とする無線端末使用通知機能付きボタン電話装置。
【発明の詳細な説明】
【０００１】
【発明の属する技術分野】
本発明は、主として無線端末を収容したボタン電話装置であって、詳しくは通信時に収容されている無線端末を使用して局線を介して通信相手との間で通信を行うことが可能な構内交換機能と無線端末の使用による通信である旨を通信相手に対してアナウンスにより通知送出する機能とを有する無線端末使用通知機能付きボタン電話装置に関する。
【０００２】
【従来の技術】
従来、この種の無線端末を収容したボタン電話装置では、構内交換機能により通信時に収容されている無線端末を使用して局線を介して通信相手との間で通信を行うことが可能になっており、更に通信相手に対してアナウンスにより通知送出する機能を持たせたタイプのものも開発されている。
【０００３】
ところで、ここでの通信相手に対してアナウンスにより通知送出する方法に関連する周知技術としては、例えば特開平６−１６９４８２号公報に開示された固定無線接続装置が挙げられる。この固定無線接続装置の場合、通信中に無線回線の電界強度が劣化したとき、通信路切断前に通信相手に対して通話切断する旨のメッセージを通知送出するようになっている。
【０００４】
又、通信相手に対してメッセージを送信する方法に関連する周知技術としては、特開平１０−１７４１７１号公報に開示された移動体電話装置が挙げられる。この移動体電話装置の場合、予め機能登録手段に従った状態で操作者が発信操作を行って相手が不応答の場合にメモ録音した後、発信相手に対して発信操作して相手が応答した場合に自動的にメモ録音の内容を再生することで発信相手にメッセージを伝えるようになっている。
【０００５】
因みに、その他の一般的なボタン電話装置に関連する周知技術としては、特開平５−８３１９２号公報に開示されたコードレスボタン電話システムの着信方式、特開平６−３１１２３４号公報に開示されたボタン電話装置、特開平９−２２４２６９号公報に開示されたボタン電話システム、特開平９−２８４８１８号公報に開示されたボタン電話機装置およびその管理方法、特開平１０−１１２７５０号公報に開示されたコードレス電話装置、特開平１１−３３１９１９号公報に開示されたボタン電話装置とコードレス電話機位置表示方法等が挙げられる。
【０００６】
【発明が解決しようとする課題】
上述した従来の無線端末を収容したボタン電話装置に適用可能なアナウンスによる通知送出やメッセージの送信の場合、例えば特開平６−１６９４８２号公報に開示された固定無線接続装置では、通信相手がメッセージ送出されてから初めて無線端末を使用して通信していたことを認識できるもので、メッセージ送出前に無線端末の使用を認識できないという不便がある他、無線通信を使用したシステムでの特長である基地局間を移動するハンドオーバには対応できないという問題があり、特開平１０−１７４１７１号公報に開示された移動体電話装置では、予め機能登録手段が必要であるために構成上の複雑化や大規模化が回避されないばかりでなく、通信が中断したときに何が原因であるかを認識できないという不便がある。
【０００７】
本発明は、このような問題点を解決すべくなされたもので、その技術的課題は、通信時に無線端末の使用を通信相手に対して適確に通知できると共に、通信中断の認識やハンドオーバに対応可能で無線通信の特長を充分に活かし得る簡素な構成の無線端末使用通知機能付きボタン電話装置を提供することにある。
【０００８】
【課題を解決するための手段】
本発明によれば、通信時に収容されている無線端末を使用して局線を介して通信相手との間で通信を行うことが可能な構内交換機能を有すると共に、該通信相手に対してアナウンスにより通知する機能を有するボタン電話装置において、無線端末を使用して構内交換機能により局線を介して発信して通信相手が応答したときに該通信相手の応答を検出する応答信号検出部と、応答信号検出部で検出された通信相手に対して無線端末を使用して通信している旨をアナウンスにより通知送出するアナウンス送出部とを備えた無線端末使用通知機能付きボタン電話装置が得られる。
【０００９】
又、本発明によれば、上記無線端末使用通知機能付きボタン電話装置において、アナウンス送出部は、局線を介しての着信時に応答端末が自装置に収容されている無線端末であるときに該局線を介して通信相手に対して該無線端末を使用して通信している旨をアナウンスにより通知送出する無線端末使用通知機能付きボタン電話装置が得られる。
【００１０】
更に、本発明によれば、上記何れかの無線端末使用通知機能付きボタン電話装置において、無線端末へ転送可能な有線端末を含み、アナウンス送出部は、有線端末から無線端末への転送時に局線を介して通信相手に対して該無線端末を使用して通信している旨をアナウンスにより通知送出する無線端末使用通知機能付きボタン電話装置が得られる。
【００１１】
加えて、本発明によれば、上記無線端末使用通知機能付きボタン電話装置において、無線端末の個別情報を予め蓄積した無線端末情報蓄積部を備え、局線を介しての個別着信情報を伴った着信時に応答端末が自装置に収容されている無線端末であるか否かを受信された該個別着信情報と無線端末情報蓄積部に蓄積された個別情報とを比較照合して合致するものが存在するか否かにより認識する無線端末使用通知機能付きボタン電話装置が得られる。
【００１２】
一方、本発明によれば、上記無線端末使用通知機能付きボタン電話装置において、局線を介して擬似呼出音を送出する局線擬似呼出音送出部を備え、比較照合により合致する無線端末が存在するときに該無線端末が応答するまでの間、局線擬似呼出音送出部により通信相手に対して局線を介して擬似呼出音を送出し続ける無線端末使用通知機能付きボタン電話装置が得られる。
【００１３】
他方、本発明によれば、上記無線端末使用通知機能付きボタン電話装置において、無線端末から応答があったときに局線を介して局線擬似呼出音送出部からの擬似呼出音の送出を停止する無線端末使用通知機能付きボタン電話装置が得られる。
【００１４】
【発明の実施の形態】
以下に本発明の実施の形態について、図面を参照して詳細に説明する。
【００１５】
図１は、本発明の一つの実施の形態に係る無線端末使用通知機能付きボタン電話装置１の基本構成を示したブロック図である。この無線端末使用通知機能付きボタン電話装置１は、構内交換機能を有する局線４と、局線４を介して構内交換機能により通信相手との間で通信可能な無線端末２と、局線４を介して構内交換機能により通信相手との間で通信可能であると共に、無線端末２へ転送可能な有線端末３，３１とを周辺装置として収容しており、本体部分には装置全体を動作制御する中央制御部１ａと、局線４を収容するための局線インタフェース部１ｂと、無線端末２を収容するための無線端末インタフェース部１ｃと、有線端末３，３１を収容するための有線端末インタフェース部１ｄと、無線端末インタフェース部１ｃを通して無線端末２に対して呼出音を送出できる擬似呼出音送出部１ｅと、局線インタフェース部１ｂを通して局線４に無線端末２を使用して通信を行う旨をアナウンスにより通知送出するアナウンス送出部１ｆと、局線インタフェース部１ｂを通して局線４からの応答信号を検出する応答信号検出部１ｇと、保留中に局線インタフェース部１ｂを通して局線４に保留音を送出する保留音送出部１ｈとを備えて構成される。
【００１６】
このうち、応答信号検出部１ｇは、中央制御部１ａの動作制御に従って無線端末２を使用して局線インタフェース部１ｂを通して構内交換機能により局線４を介して発信して通信相手が応答したときに通信相手の応答信号を検出し、アナウンス送出部１ｆでは中央制御部１ａの動作制御に従って応答信号検出部１ｇで検出された応答信号に示される通信相手に対して無線端末２を使用して通信している旨をアナウンスにより通知送出する。又、アナウンス送出部１ｆは、中央制御部１ａの動作制御に従って局線４を介しての着信時に応答端末が自装置に収容されている無線端末２であるときに局線４を介して通信相手に対して無線端末２を使用して通信している旨をアナウンスにより通知送出する他、中央制御部１ａの動作制御に従って無線端末２へ転送可能な有線端末３１から無線端末２への転送時に局線４を介して通信相手に対して無線端末２を使用して通信している旨をアナウンスにより通知送出する。
【００１７】
図２は、無線端末使用通知機能付きボタン電話装置１の本体部分に備えられる中央制御部１ａによる局線４を介しての発信時における動作処理を示したフローチャートである。
【００１８】
ここで中央制御部１ａは、発信時の初期状態として、無線端末インタフェース部１ｃを介して装置本体に収容される無線端末２から発信情報を受信可能な状態か、或いは有線端末インタフェース部１ｄを介して装置本体に収容される有線端末３から発信情報を受信可能な状態にあるため、無線端末インタフェース部１ｃや有線端末インタフェース部１ｄを介しての発信情報の受信時に発信情報が無線端末インタフェース部１ｃから受信されたものか、或いは有線端末インタフェース部１ｄから受信されたものであるを判断することにより、発信情報が無線端末２からの発信であるか否かを判定（ステップＳ１）する。この結果、発信情報が有線端末インタフェース部１ｄで受信された有線端末３からの発信との判断により無線端末２からの発信でなければ、局線４を介して有線端末インタフェース部１ｄを通して受信した発信情報に基づいて通信相手との間で通常の発信（ステップＳ８）動作を行い、これにより通信相手が応答した場合に有線端末３に対して通信路を接続してから通信相手と通信するが、発信情報が無線端末インタフェース部１ｃから受信された無線端末２からの発信との判断により無線端末２からの発信であれば、無線端末インタフェース部１ｄを通して発信情報取得（ステップＳ２）の処理を行った後、擬似呼出送出部１ｅと無線端末インタフェース部１ｃとを接続して無線端末２へ擬似呼出音送出部１ｅからの擬似呼出音を送出（ステップＳ３）する処理を行ってから局線インタフェース部１ｂを通して構内交換機能により局線４を介して無線端末インタフェース部１ｃから取得した発信情報に基づいて通信相手との間で発信（ステップＳ４）動作を行う。
【００１９】
この後、通信相手の応答を待って通信相手が応答した場合、局線４を介して局線インタフェース部１ｂを通して応答信号検出部１ｇが通信相手からの応答信号（通常、局線４の電話回線がアナログ回線の場合には極性反転信号が該当し、デジタル回線の場合にはＣｏｎｎｅｃｔ信号等が該当する）を検出する通信相手応答検出（ステップＳ５）の処理を行うと、中央制御部１ａは局線インタフェース部１ｂとアナウンス送出部１ｆとを接続してアナウンス送出部１ｆにより「この通信は無線端末２を使用している」旨をアナウンスで局線インタフェース部１ｂを通して通信相手に対して局線４を介して通知送出し、アナウンス送出終了後にアナウンスを停止するアナウンス送出後停止（ステップＳ６）の動作を行った後、無線端末２に対して擬似呼出音送出部１ｅから無線端末インタフェース部１ｃを通して送出している擬似呼出音を停止する無線端末２への擬似呼出音停止（ステップＳ７）の動作を行ってから無線端末インタフェース部１ｃと擬似呼出音送出部１ｅとの接続を解除すると共に、局線インタフェース部１ｂとアナウンス送出部１ｆとの接続も解除し、最終的に無線端末２に対して通信路を接続してから通信相手と通信する。
【００２０】
図３は、無線端末使用通知機能付きボタン電話装置１の本体部分に備えられる中央制御部１ａによる局線４を介しての着信時における動作処理を示したフローチャートである。
【００２１】
ここで中央制御部１ａは、着信時の初期状態として、構内交換機能により局線４を介して局線インタフェース部１ｂを通して無線端末２や有線端末３に対する着信を受信可能な状態にあるため、局線４を介しての着信動作時に局線インタフェース部１ｂを通して着信検出（ステップＳ１）し、アナログ回線の場合には１６Ｈｚの着信信号を検出し、デジタル回線の場合にはＳｅｔ  ｕｐ等の呼設定を検出した後、無線端末インタフェース１ｃを通して無線端末２へ着信（ステップＳ２）を行ってから有線端末インタフェース部１ｄを通して有線端末３へ着信（ステップＳ３）を行う。但し、ここでの無線端末インタフェース部１ｃを通して無線端末２へ着信（ステップＳ２）する処理と有線端末インタフェース１ｄを通して有線端末３へ着信（ステップＳ３）する処理との順序は問われず、ここでの場合と反対の順序であっても良い。
【００２２】
何れにしても、引き続いて中央制御部１ａは、着信を無線端末２や有線端末３に対して行った後、無線端末２や有線端末３が応答するまで待機し、応答があった場合に無線端末インタフェース部１ｃを通しての無線端末２からの応答なのか、或いは有線端末インタフェース部１ｄを通しての有線端末３からの応答なのかを判断することにより、無線端末２からの応答か否かを判定（ステップＳ４）する。この結果、着信が有線端末インタフェース部１ｄを通しての有線端末３からの応答との判断により無線端末２からの応答でなければ、局線４を介して局線インタフェース部１ｂを通して応答（ステップＳ５）動作を行い、その後に有線端末３に対して通信路を接続してから通信相手と通信するが、着信が無線端末インタフェース部１ｃを通しての無線端末２からの応答との判断により無線端末２からの応答であれば、局線インタフェース部１ｂを通して局線４を介して応答（ステップＳ６）する。但し、ここで中央制御部１ａは、無線端末２に対して通信路を接続せずに局線インタフェース部１ｂを通してアナウンス送出部１ｆを接続してからアナウンス送出部１ｆにより「この通信は無線端末２を使用している」旨を局線インタフェース部１ｂを通してアナウンスで通信相手に対して局線４を介して通知送出し、アナウンス送出終了後にアナウンスを停止するアナウンス送出後停止（ステップＳ７）の動作を行った後、局線インタフェース部１ｂとアナウンス送出部１ｆとの接続を解除し、最終的に無線端末２に対して通信路を接続してから通信相手と通信を行う。
【００２３】
図４は、無線端末使用通知機能付きボタン電話装置１の本体部分に備えられる中央制御部１ａによる周辺装置として収容した無線端末２又は有線端末３への保留転送時（通信中）における動作処理を示したフローチャートである。
【００２４】
ここで中央制御部１ａは、保留転送時の初期状態として、構内交換機能により局線４を介して収容された有線端末３１と通信相手とが通信中の状態であると仮定し、こうした条件下で有線端末３１より保留操作された場合に有線端末３１が保留（ステップＳ１）される旨を検出すると、局線インタフェース部１ｂと保留音送出部１ｈとを接続して保留音送出部１ｈにより局線４を介して保留音送出（ステップＳ２）する処理を行った後、有線端末３１から同様に収容された無線端末２又は有線端末３に転送（ステップＳ３）する処理を行う。これにより、中央制御部１ａは転送先に着信して収容された無線端末２や有線端末３が応答するまで待機し、応答があった場合に無線端末インタフェース部１ｃを通しての無線端末２からの応答なのか、或いは有線端末インタフェース部１ｄを通しての有線端末３からの応答なのかを判断することにより、無線端末２からの応答か否かを判定（ステップＳ４）する。この結果、有線端末インタフェース部１ｄを通しての有線端末３からの応答との判断により無線端末２からの応答でなければ、局線インタフェース部１ｂに接続している保留音送出部１ｈを切断して局線４を介して保留音停止（ステップＳ５）動作を行い、その後に有線端末３と通信路を接続してから通信相手と通信再開するが、無線端末インタフェース部１ｃを通しての無線端末２からの応答との判断により無線端末２からの応答であれば、同様に局線インタフェース部１ｂに接続している保留音送出部１ｈを切断して局線４を介して保留音停止（ステップＳ６）動作を行う。但し、ここの中央制御部１ａは、無線端末２に対して通信路を接続せずに局線インタフェース部１ｂを通してアナウンス送出部１ｆを接続してからアナウンス送出部１ｆにより「この通信は無線端末２を使用している」旨をアナウンスで通信相手に対して局線４を介して通知送出し、アナウンス送出終了後にアナウンスを停止するアナウンス送出後停止（ステップＳ７）の動作を行った後、局線インタフェース部１ｂとアナウンス送出部１ｆとの接続を解除し、最終的に無線端末２に対して通信路を接続してから通信相手と通信再開する。
【００２５】
図５は、本発明の他の実施の形態に係る無線端末使用通知機能付きボタン電話装置１′の基本構成を示したブロック図である。この無線端末使用通知機能付きボタン電話装置１′は、先の実施の形態の装置１の場合と比べ、周辺装置及び本体部分の構成部分をそのまま同様な機能を持つものとして含む以外、本体部分に対して予め無線端末２の個別情報を蓄積した無線端末情報蓄積部としての無線端末情報メモリ部１ｉ（この場合は個別情報が記憶蓄積されている）と、局線インタフェース部１ｂを通して局線４を介して擬似呼出音を送出する局線擬似呼出音送出部１ｊとが備えられ、これらの別途に設けられた無線端末情報メモリ部１ｉ及び局線擬似呼出音送出部１ｊが中央制御部１ａ′の動作制御に従って動作するように構成されている。
【００２６】
このうち、中央制御部１ａ′は、局線４を介しての個別着信情報を伴った着信時に応答端末が自装置に収容されている無線端末であるか否かを受信された個別着信情報と無線端末情報メモリ部１ｉに記憶蓄積された個別情報とを比較照合して合致するものが存在するか否かにより認識すると共に、比較照合により合致する無線端末２が存在するときにその無線端末２が応答するまでの間、局線擬似呼出音送出部１ｊを動作制御して通信相手に対して局線４を介して擬似呼出音を送出し続け、無線端末２から応答があったときに局線４を介して局線擬似呼出音送出部１ｊからの擬似呼出音の送出を停止する。
【００２７】
図６は、無線端末使用通知機能付きボタン電話装置１′の本体部分に備えられる中央制御部１ａ′による局線４を介しての個別着信情報を含む着信時における動作処理を示したフローチャートである。
【００２８】
ここで中央制御部１ａ′は、着信時の初期状態として、無線端末情報メモリ部１ｉに予め無線端末２の個別情報が蓄積されていると共に、構内交換機能により局線４を介して局線インタフェース部１ｂを通して無線端末２に対するダイヤルイン，サブアドレス等の個別着信情報を伴った着信や有線端末３に対する着信を受信可能な状態にあるため、局線４を介しての着信動作時に局線インタフェース部１ｂを通して着信検出及び個別着信情報受信（ステップＳ１）を行い、アナログ回線の場合には１６Ｈｚの着信信号を検出し、デジタル回線の場合にはＳｅｔｕｐ等の呼設定を検出した後、受信した個別着信情報を無線端末情報メモリ部１ｉに蓄積された個別情報と比較参照して合致するものが存在するか否かを認識することにより、個別着信が無線端末２への着信か否かを判定（ステップＳ２）する。この結果、個別着信が無線端末２への着信でなく、有線端末３への着信と判断したとき、中央制御部１ａ′は有線端末インタフェース部１ｄを通して有線端末３へ着信（ステップＳ３）し、これにより有線端末３応答（ステップＳ４）を経た後、局線インタフェース部１ｂを通して局線４を介して応答（ステップＳ５）し、最終的に有線端末３に対して通信路を接続してから通信相手と通信するが、個別着信が無線端末２への着信と判断したとき、無線端末インタフェース部１ｃを通して無線端末２へ着信（ステップＳ６）し、局線インタフェース部１ｂを通して局線４を介して応答（ステップＳ７）する。但し、ここで中央制御部１ａ′は、無線端末２に対して通信路を接続せずに局線インタフェース部１ｂを通してアナウンス送出部１ｆを接続してからアナウンス送出部１ｆにより「この通信は無線端末２を使用している」旨をアナウンスで通信相手に対して局線４を介して通知送出し、アナウンス送出終了後にアナウンスを停止するアナウンス送出後停止（ステップＳ８）の動作を行った後、局線インタフェース部１ｂとアナウンス送出部１ｆとの接続を解除し、局線インタフェース部１ｂを通して局線擬似呼出音送出部１ｊを接続して無線端末２が応答するまでの間、通信相手に対して局線４を介して擬似呼出音を送出し続ける擬似呼出音送出（ステップＳ９）の処理を行う。この後、無線端末２応答（ステップＳ１０）があると、中央制御部１ａ′は局線４を介して局線擬似呼出音送出部１ｊからの擬似呼出音の送出を停止する擬似呼出音停止（ステップＳ１１）の動作を行い、最終的に無線端末２に対する通信路を接続してから通信相手と通信する。
【００２９】
【発明の効果】
以上に述べた通り、本発明の無線端末使用通知機能付きボタン電話装置によれば、発信，着信，並びに保留転送等の通信中の各動作を含む通信時に収容されている無線端末を使用して通信を行っている旨を通信相手に対してアナウンスにより通知送出する機能を簡素な構成で持たせているので、通信相手に対して本通信を無線端末の使用により行っている旨を適確に認識させることができると共に、無音時や通信切断時にも通信相手が理解できるようになり、通信を円滑にして効率的に行うことができ、結果として通信中断の認識やハンドオーバに対応可能で無線通信の特長を充分に活かし得るため、極めて有益となる。
【図面の簡単な説明】
【図１】本発明の一つの実施の形態に係る無線端末使用通知機能付きボタン電話装置の基本構成を示したブロック図である。
【図２】図１に示す無線端末使用通知機能付きボタン電話装置の本体部分に備えられる中央制御部による局線を介しての発信時における動作処理を示したフローチャートである。
【図３】図１に示す無線端末使用通知機能付きボタン電話装置の本体部分に備えられる中央制御部による局線を介しての着信時における動作処理を示したフローチャートである。
【図４】図１に示す無線端末使用通知機能付きボタン電話装置の本体部分に備えられる中央制御部による周辺装置として収容した無線端末又は有線端末への保留転送時（通信中）における動作処理を示したフローチャートである。
【図５】本発明の他の実施の形態に係る無線端末使用通知機能付きボタン電話装置の基本構成を示したブロック図である。
【図６】図５に示す無線端末使用通知機能付きボタン電話装置の本体部分に備えられる中央制御部による局線を介しての個別着信情報を含む着信時における動作処理を示したフローチャートである。
【符号の説明】
１，１′  無線端末使用通知機能付きボタン電話装置
１ａ，１ａ′  中央制御装置
１ｂ  局線インターフェース部
１ｃ  無線端末インターフェース部
１ｄ  有線端末インターフェース部
１ｅ  擬似呼出音送出部
１ｆ  アナウンス送出部
１ｇ  応答信号検出部
１ｈ  保留音送出部
１ｉ  無線端末情報メモリ部
１ｊ  局線擬似呼出音送出部
２  無線端末
３，３１  有線端末
【図１】
0003626725.tif 000002
【図２】
0003626725.tif 000003
【図３】
0003626725.tif 000004
【図４】
0003626725.tif 000005
【図５】
0003626725.tif 000006
【図６】
0003626725.tif 000007